(57)【特許請求の範囲】
【請求項１】
横方向に対峙する一対の側板を有するバーナ本体と、バーナ本体を横方向両側から覆う一対の側板を有するバーナキャップとを備え、バーナ本体の両側板間に、主火炎を形成する上端の主炎口と、主炎口に混合気を供給する主混合気通路とが設けられ、バーナ本体の各側板とバーナキャップの各側板との間に、主火炎よりも燃焼カロリーの少ない補助火炎を形成する上端の補助炎口と、補助炎口に混合気を供給する補助混合気通路とが設けられたバーナであって、
バーナキャップの各側板の下縁部を、当該下縁部の一部がバーナ本体の各側板の主混合気通路に合致する部分の外面を横断する状態で、バーナ本体の両側板が面接触する接触フランジ部の外面に密着固定するものにおいて、
バーナ本体の各側板の主混合気通路に合致する部分のうちバーナキャップの各側板の下縁部が横断する部分をキャップ横断部として、キャップ横断部に、それより上方の部分に対し横方向内方に窪む凹部が形成されると共に、バーナキャップの各側板の下縁部のキャップ横断部に重なる部分に、それより上方の部分に対し横方向内方に窪んでキャップ横断部の凹部に嵌る嵌合部が形成され、凹部上縁と嵌合部上縁に夫々横方向段差が形成されて、凹部上縁の横方向段差に嵌合部上縁の横方向段差が対面することを特徴とするバーナ。
【発明の詳細な説明】
【技術分野】
【０００１】
本発明は、横方向に対峙する一対の側板を有するバーナ本体と、バーナ本体を横方向両側から覆う一対の側板を有するバーナキャップとを備え、バーナ本体の両側板間に、主火炎を形成する上端の主炎口と、主炎口に混合気を供給する主混合気通路とが設けられ、バーナ本体の各側板とバーナキャップの各側板との間に、主火炎よりも燃焼カロリーの少ない補助火炎を形成する上端の補助炎口と、補助炎口に混合気を供給する補助混合気通路とが設けられたバーナに関する。
【背景技術】
【０００２】
従来、この種のバーナとして、バーナキャップの各側板の下縁部を、当該下縁部の一部がバーナ本体の各側板の主混合気通路に合致する部分の外面を横断する状態で、バーナ本体の両側板が面接触する接触フランジ部の外面にスポット溶接、円形カシメ、リベットカシメ等によって密着固定するものが知られている（例えば、特許文献１参照）。
【０００３】
ここで、バーナキャップの各側板の下縁部の接触フランジ部に重なる部分は、バーナ本体に密着して、シール性が確保される。然し、バーナキャップの各側板の下縁部のうちバーナ本体の各側板の淡混合気通路に合致する部分の外面を横断する部分は、当該部分が重なるバーナ本体の部分が中空で、スポット溶接、円形カシメ、リベットカシメ等ができないため、バーナ本体に確実には密着せず、補助混合気通路から混合気が漏れる恐れがある。
【先行技術文献】
【特許文献】
【０００４】
【特許文献１】特許第２６９０４４７号公報（図１５、１６）
【発明の概要】
【発明が解決しようとする課題】
【０００５】
本発明は、以上の点に鑑み、バーナ本体の各側板の主混合気通路が設けられた部分の外面を横断するバーナキャップの各側板の下縁部の部分でのシール性を向上できるようにしたバーナを提供することをその課題としている。
【課題を解決するための手段】
【０００６】
上記課題を解決するために、本発明は、横方向に対峙する一対の側板を有するバーナ本体と、バーナ本体を横方向両側から覆う一対の側板を有するバーナキャップとを備え、バーナ本体の両側板間に、主火炎を形成する上端の主炎口と、主炎口に混合気を供給する主混合気通路とが設けられ、バーナ本体の各側板とバーナキャップの各側板との間に、主火炎よりも燃焼カロリーの少ない補助火炎を形成する上端の補助炎口と、補助炎口に混合気を供給する補助混合気通路とが設けられたバーナであって、バーナキャップの各側板の下縁部を、当該下縁部の一部がバーナ本体の各側板の主混合気通路に合致する部分の外面を横断する状態で、バーナ本体の両側板が面接触する接触フランジ部の外面に密着固定するものにおいて、バーナ本体の各側板の主混合気通路に合致する部分のうちバーナキャップの各側板の下縁部が横断する部分をキャップ横断部として、キャップ横断部に、それより上方の部分に対し横方向内方に窪む凹部が形成されると共に、バーナキャップの各側板の下縁部のキャップ横断部に重なる部分に、それより上方の部分に対し横方向内方に窪んでキャップ横断部の凹部に嵌る嵌合部が形成され、凹部上縁と嵌合部上縁に夫々横方向段差が形成されて、凹部上縁の横方向段差に嵌合部上縁の横方向段差が対面することを特徴とする。
【０００７】
本発明によれば、キャップ横断部の凹部に嵌合部が密着せずに、ガス漏れを生ずる隙間を生じても、この隙間は凹部上縁の横方向段差と嵌合部上縁の横方向段差との間で横方向に屈曲するため、隙間の通気抵抗が大きくなり、シール性が向上する。更に、キャップ横断部に凹部を設けることにより、主混合気通路内の混合気の流れに凹部の下流側で渦を生じ、燃料ガスと一次空気との混合が促進される効果もある。
【図面の簡単な説明】
【０００８】
【図１】本発明の実施形態のバーナを示す斜視図。
【図２】実施形態のバーナのバーナキャップを取外した状態の斜視図。
【図３】図１のＩＩＩ−ＩＩＩ線で切断した断面図。
【図４】実施形態のバーナの要部の拡大断面図。
【発明を実施するための形態】
【０００９】
図１乃至図３を参照して、１は本発明の実施形態のバーナである濃淡バーナを示している。この濃淡バーナ１は、横方向に対峙する一対の側板２１，２１を有するバーナ本体２と、バーナ本体１を横方向両側から覆う一対の側板３１，３１と、両側板３１，３１をその上縁で連結する前後複数個所のブリッジ部３２とを有するバーナキャップ３を備えている。
【００１０】
バーナ本体２の両側板２１，２１は、一枚の板をバーナ本体２の下縁となる折り曲げ線で合掌状態に折り曲げることにより形成されている。両側板２１，２１間には、主火炎を形成する上端の主炎口４と、主炎口４に混合気を供給する主混合気通路５とが設けられている。
【００１１】
主混合気通路５は、両側板２１，２１を横方向に離隔するようにプレス加工することで形成した、バーナ本体２の下部前端に開口する流入口５１ａから後方にのびる主混合管部５１と、主混合管部５１の後端の上向きの下流端部から上方に向かって前後方向に広がるようにのびる下流側通路部５２とで構成されている。主混合管部５１の流入口５１ａの開口面積は比較的広く、この流入口５１ａに対向する主ガスノズル（図示せず）からの燃料ガスと共に比較的多量の一次空気が主混合管部５１に流入して、理論空燃比よりも燃料濃度が希薄な淡混合気が生成される。そして、この淡混合気が主炎口４から噴出して燃焼し、主火炎が形成される。
【００１２】
また、バーナ本体２の両側板２１，２１の上部間には、主炎口４を横方向複数の領域に区分けする複数の整流板４１が介設されている。また、これら整流板４１を前後複数個所の絞り部４２で横方向に密着させて、主炎口４を前後複数のブロックに区画している。更に、バーナ本体２の各側板２１の上部に、横方向外側の整流板４１に接する凹条２２を形成し、この凹条２２よりも上方の側板２１の部分と外側の整流板４１との間に、混合気が噴出しない盲空隙４３が画成されるようにしている。
【００１３】
バーナ本体２の各側板２１とバーナキャップ３の各側板３１との間には、主火炎よりも燃焼カロリーの少ない補助火炎を形成する上端の補助炎口６と、補助炎口６に混合気を供給する補助混合気通路７とが設けられている。尚、バーナ本体２の主混合管部５１よりも上側の部分には、バーナ本体２の前端に開口する流入口７１ａから後方に少しのびて終端する補助混合管部７１が設けられている。そして、補助混合管部７１の後部外側面に形成した流出孔７１ｂから流出する混合気が補助混合気通路７を介して補助炎口６に導かれるようにしている。補助混合管部７１の流入口７１ａの開口面積は比較的狭く、この流入口７１ａに対向する補助ガスノズル（図示せず）からの燃料ガスと共に比較的少量の一次空気が補助混合管部７１に流入して、理論空燃比よりも燃料濃度の濃い濃混合気が生成され、この濃混合気が補助炎口６から噴出して燃焼し、補助火炎が形成される。また、バーナキャップ３の各側板３１の上部の前後複数個所には、補助炎口６を前後複数のブロックに区画する凹部３３が設けられている。
【００１４】
バーナ本体２の主炎口４、主混合気通路５、補助混合管部７１以外の部分は、バーナ本体２の両側板２１，２１を面接触させた接触フランジ部２３になっている。そして、バーナキャップ３の各側板３１の下縁部を、主混合管部５１と補助混合管部７１との間の接触フランジ部２３の部分の外面及び主混合気通路５より後方の接触フランジ部２３の部分の外面にスポット溶接、円形カシメ、リベットカシメ等で密着固定している。バーナキャップ３の各側板３１の下縁部の一部は、バーナ本体２の各側板２１の主混合気通路５に合致する部分、具体的には、主混合管部５１の後端の上向きの下流端部に合致する部分の外面を前後方向に横断する。
【００１５】
ここで、バーナ本体２の各側板２１の主混合気通路５に合致する部分のうちバーナキャップ３の各側板３１の下縁部が横断する部分をキャップ横断部とすると、キャップ横断部では、バーナ本体２が中空になるため、バーナキャップ３の各側板３１の下縁部をスポット溶接、円形カシメ、リベットカシメ等で密着固定することができない。そのため、バーナキャップ３の側板３１の下縁部のキャップ横断部に重なる部分がキャップ横断部に密着せず、補助混合気通路７内から混合気が漏れる可能性がある。
【００１６】
そこで、本実施形態では、図４に明示する如く、キャップ横断部に、それより上方の部分に対し横方向内方に窪む凹部２４を形成すると共に、バーナキャップ３の各側板３１の下縁部のキャップ横断部に重なる部分に、それより上方の部分に対し横方向内方に窪んでキャップ横断部の凹部２４に嵌る嵌合部３４を形成している。そして、凹部２４上縁と嵌合部３４上縁に夫々横方向段差２４ａ，３４ａを形成し、凹部２４上縁の横方向段差２４ａに嵌合部３４上縁の横方向段差３４ａが対面するようにしている。
【００１７】
これによれば、キャップ横断部の凹部２４に嵌合部３４が密着せずに、ガス漏れを生ずる隙間を生じても、この隙間は凹部２４上縁の横方向段差２４ａと嵌合部３４上縁の横方向段差３４ａとの間で横方向に屈曲するため、隙間の通気抵抗が大きくなって、シール性が向上し、補助混合気通路７内からのガス漏れを抑制できる。更に、キャップ横断部に凹部２４を設けることにより、主混合気通路６内の混合気の流れに凹部２４の下流側で渦を生じ、燃料ガスと一次空気との混合が促進される効果もある。
【００１８】
尚、シール性を向上させる上で、凹部２４上縁の段差２４ａは側板３１の板厚以上とすることが望ましい。また、凹部２４上縁の段差２４ａに嵌合部３４上縁の段差３４が密着するようにバーナ本体２にバーナキャップ３を組み付けて、シール性を可及的に向上させることも可能である。
【００１９】
以上、本発明の実施形態について図面を参照して説明したが、本発明はこれに限定されない。例えば、上記実施形態は、主炎口４と補助炎口６とから夫々理論空燃比よりも燃料濃度の希薄な淡混合気と燃料濃度の濃い濃混合気とを噴出させて濃淡燃焼させる濃淡バーナに本発明を適用したものであるが、バーナ本体とバーナキャップとを備える濃淡バーナ以外のバーナにも同様に本発明を適用できる。
【符号の説明】
【００２０】
１…濃淡バーナ、２…バーナ本体、２１…側板、２３…接触フランジ部、２４…キャップ横断部の凹部、２４ａ…段差、３…バーナキャップ、３１…側板、３４…嵌め込み部、４…主炎口、５…主混合気通路、６…補助炎口、７…補助混合気通路。
【図１】
0005981468.tif 000002
【図２】
0005981468.tif 000003
【図３】
0005981468.tif 000004
【図４】
0005981468.tif 000005